(57)【特許請求の範囲】
【請求項１】
ビデオ記録装置であって、
少なくとも第１の種類の第１の入力信号を受信する第１の入力と、
少なくとも前記第１の種類とは異なる第２の種類の第２の入力信号を受信する第２の入力と、
前記第２の入力に入力信号が検出されないとき、第１の操作モードで操作する手段と、
前記第２の入力に入力信号が検出されるとき、前記第１の操作モードとは異なる機能性を有する第２の操作モードで操作する手段と、
ユーザに前記第１の入力又は前記第２の入力に関連付けられた入力エントリを選択させるように構成され、前記第１の操作モードにあるときに、前記第１の入力に関連付けられた入力エントリのみを選択させ、前記第２の入力に関連付けられた入力エントリをスキップさせる選択する手段と、
を有し、
前記入力信号は、前記第２の入力の電圧が所定の閾値を超えた場合に検出される、
ことを特徴とする装置。
【請求項２】
前記異なる機能性は、異なるビデオ記録の機能性を有する、請求項１記載のビデオ記録装置。
【請求項３】
前記第１及び第２の操作モードは、異なるビデオ編集の機能性を有する、請求項１記載のビデオ記録装置。
【請求項４】
前記第２の操作モードは、ビデオ・アーカイビング・モードである、請求項１記載のビデオ記録装置。
【請求項５】
前記装置は、前記第１の種類の信号上の第１の機能性の制限、及び、前記第２の種類の信号上の第２の機能性の制限を招くハードウェアの制限を有し、前記第１の操作モードの前記機能性は、前記第１の機能性の制限のそれに合致し、前記第２の操作モードの前記機能性は、前記第２の機能性の制限のそれに合致する、請求項１記載のビデオ記録装置。
【請求項６】
前記ハードウェアの制限は、計算リソースの制限である、請求項５記載のビデオ記録装置。
【請求項７】
前記第２の種類の入力信号は、前記第１の種類の入力信号に存在しない追加的情報を有し、前記第２のモードは、前記追加的情報を使用する機能性を有する、請求項１記載のビデオ記録装置。
【請求項８】
前記異なる機能性は、異なる入力エントリ選択の機能性を有する、請求項１記載のビデオ記録装置。
【請求項９】
前記選択手段は、前記第１の操作モードにある際は前記第１の入力に関連付けられた入力エントリのみを含む選択カルーセルを有する、請求項１記載のビデオ記録装置。
【請求項１０】
前記選択手段は、前記第２のモードにある際、前記第２の入力に関連付けられたエントリのみを選択できる、請求項１記載のビデオ記録装置。
【請求項１１】
前記第１の種類の入力信号はアナログ型の入力信号であり、前記第２の種類の入力信号はデジタル型の入力信号である、請求項１記載のビデオ記録装置。
【請求項１２】
前記第２の種類の信号はデジタルビデオ（ＤＶ）信号である、請求項１１記載のビデオ記録装置。
【請求項１３】
ビデオ記録装置に関する操作の方法であって、
少なくとも第１の種類の第１の入力信号を受信する第１の入力と、少なくとも前記第１の種類とは異なる第２の種類の第２の入力信号を受信する第２の入力を有し、
前記第２の入力に入力信号が検出されないとき、第１の操作モードで操作する段階と、
前記第２の入力に入力信号が検出されるとき、前記第１の操作モードとは異なる機能性を有する第２のモードで操作する段階と、
ユーザに前記第１の入力又は前記第２の入力に関連付けられた入力エントリを選択させ、前記第１の操作モードにあるときに、前記第１の入力に関連付けられた入力エントリのみを選択させ、前記第２の入力に関連付けられた入力エントリをスキップさせる段階と、
を有し、
前記入力信号は、前記第２の入力の電圧が所定の閾値を超えた場合に検出される、
ことを特徴とする方法。
【請求項１４】
請求項１３記載の方法の実行を可能にする、コンピュータプログラム。
【請求項１５】
請求項１４記載のコンピュータプログラムを有する、記録担体。
【発明の詳細な説明】
【技術分野】
【０００１】
本発明は、ビデオ記録装置と該装置の操作方法に係り、特には、少なくとも第１及び第２の入力信号を受信するビデオ記録装置に係る。
【背景技術】
【０００２】
近年、映画、テレビ番組、音楽等の内容は多くの様式で多くの方法によってますます配信されてきている。特に、内容を示すデジタル信号のますますの使用は、増加した多数の可能な配信チャンネル、格納手段、及び、信号処理及びマニピュレーション機能を消費者が利用可能になるという結果をもたらす。
【０００３】
特には、視聴覚信号の生成、格納、処理、マニピュレーション、及び配信の分野は、ますますデジタル表現を使用してきている。消費者の領域では、撮影されたビデオ（及び音声）信号をデジタル形式で格納する個人的使用のビデオカメラが、過去１０年間で出現している。異なるデジタル標準が定義されているが、特にはデジタルビデオ（ＤＶ）標準が消費者の電子機器の分野では広く普及している。例えば、小さなビデオテープにＤＶデジタル形式で撮影したビデオを格納する、小さく、持ち運びが可能で、廉価なビデオカメラは、広く入手可能である。
【０００４】
典型的には、これらのカメラは、アナログ及びデジタルのビデオ出力をいずれも有しており、デジタル出力は、典型的にはＤＶ標準ビデオ信号を出力する。カメラの中には、ビデオテープに格納する外部源からＤＶビデオ信号を受信するよう、ＤＶ入力を更に有するものある。デジタルＤＶ入力及び出力は、典型的にはＩＥＥＥ−１３９４（非特許文献１）として既知（ＦｉｒｅＷｉｒｅ（登録商標）又はｉＬｉｎｋ（登録商標）としても既知）である標準化インターフェイスを介して他の装置に接続することができる。
【０００５】
デジタルビデオカメラのますます広がる有用性に加え、ビデオ信号の格納及び記録用に入手可能な機器は、ますます多様化してきている。特に、ビデオ信号のデジタル格納用の機器は、ますます普及している。具体的には、近年は、パーソナル・ビデオレコーダ（ＰＶＲ）等のデジタル・ハードディスクを基本としたビデオレコーダ、及び、デジタル多用途ディスク（ＤＶＤ）等のデジタルの取外し可能な格納媒体レコーダの到来を見てきている。コンピュータを基本とした中央娯楽機器は、ますます一般的となるとも見込まれている。かかる機器は、ビデオ信号をデジタルに記録する機能性を有すると見込まれる。
【０００６】
典型的には、デジタルビデオレコーダは、アナログのビデオ信号を受信するアナログの入力手段を有する。アナログ信号は、格納媒体に格納される前にデジタル信号に転換される。
【０００７】
加えて、殆どの高性能及び中程度のビデオレコーダは、近年、ＤＶ入力等のデジタル入力を有する。かかる入力は、ＤＶカメラ等の外部源から直接デジタルビデオ信号を受信し得る。デジタルＤＶビデオ信号は、格納される前にデジタルＭＰＥＧ２に典型的には、圧縮される。いかなる処理もデジタルの領域で行なわれ、従って非常に高レベルのビデオの質が保持される。
【０００８】
従って、近年のビデオレコーダの殆どは、デジタル及びアナログの信号入力をいずれも有する。加えて、多くのデジタルビデオレコーダは、記録され得るアナログのビデオ信号を生成する内部ＴＶチューナを有する。典型的には、異なる信号と入力との間の切替えは、選択カルーセル又はチャンネル・リングを実行するビデオレコーダによって達成される。ユーザの起動によって、選択カルーセルで次の信号又は入力の選択がなされる。典型的には、デジタル及びアナログの信号のいずれも選択カルーセルに含まれるため、デジタル入力は標準選択リングを介して選択され得る。しかしながら、異なる種類の入力の統合は、非一貫性、切替え時の画面のアーチファクト、更なる遅延、及び追加のチャンネルが選択カルーセルに含まれることによるユーザにとっての更なる不便性をもたらす傾向があるため、かかるアプローチに関連した不利点はある。
【０００９】
デジタルのビデオ信号の他の利点は、ビデオ信号の処理及びマニピュレーションが、典型的には、アナログ信号のものより柔軟性があり、実用的で実行可能であることである。例えば、デジタルビデオカメラ又はレコーダは、しばしば、消費者の機器のアナログ信号には実行可能ではないビデオ編集機能を有する。例えば、ビデオ編集の多くの形式は、デジタル信号のデジタル信号処理によって比較的容易に実施され得るが、アナログ信号に関しては非常に複雑又は不可能である。そのために、デジタルビデオレコーダは、従来のアナログビデオレコーダよりも操作が非常により複雑である傾向がある。例えば、デジタルビデオレコーダは、１つ又は他の種類の信号に関して実行可能であるのみの多数の異なる機能を備えたより複雑なユーザ・インターフェイスを有する傾向がある。加えて、ビデオレコーダの内部管理及び制御機能は、ますます複雑に且つリソースを要するものとなってきている。
【００１０】
故に、改善されたビデオレコーダは有利であり、また特には、増加した柔軟性、ユーザによる取扱いの容易性、更なる能力、及び／又は低減された複雑さを可能にしているビデオレコーダが有利である。
【非特許文献１】ＩＥＥＥ−１３９４
【発明の開示】
【発明が解決しようとする課題】
【００１１】
従って、本発明は、１つ又はそれ以上の上述の不利点を一つずつ又は組み合わせて緩和、軽減、又は解消することを目的とする。
【課題を解決するための手段】
【００１２】
本発明の第１の面によれば、与えられたビデオ記録装置は、少なくとも第１の種類の第１の入力信号を受信する第１の入力と、少なくとも第１の種類とは異なる第２の種類の第２の入力信号を受信する第２の入力と、第２の入力に入力信号が検出されないときに第１の操作モードで操作する手段と、第２の入力で入力信号が検出されるときに、第１の操作モードとは異なる機能性を有する第２の操作モードで操作する手段とを有する。
【００１３】
異なる機能性は、例えば、機能に関連する異なるユーザ・インターフェイス、異なるビデオ信号処理又はマニピュレーション機能、あるいは、異なる制御又は管理機能を有し得る。
【００１４】
本発明によって、操作モードは、具体的には自動的に選択されるべき所定の入力信号に適する機能を有する。これにより、より簡単な操作及びユーザによる更なる容易な取扱い性が可能となる。例えば、ユーザ・インターフェイスは、所定の入力信号に使用可能なオプション及び機能を示すためにのみ、自動的に最適化される。また、ビデオレコーダのより簡単な制御及び管理機能が可能であり得、従ってより低い複雑性をもたらす。機能性が所定の入力信号に対して最適化され得るため、性能が向上し得る。具体的には、計算リソース等の使用可能なリーソースは、所定の入力信号に対する性能を最適化するよう配置される。
【００１５】
本発明の特性によれば、第１の種類は入力信号のアナログ型であり、入力信号の第２の種類は、入力信号のデジタル型である。故に、本発明によって、機能性及び操作モードは、アナログ及びデジタル信号夫々に対して自動的に最適化されることが可能となる。入力信号のデジタル型は、望ましくはデジタルビデオ（ＤＶ）入力信号であって、従って、使用可能な消費者の機器に幅広く使用することが可能となる。
【００１６】
本発明の異なる特性によれば、異なる機能は、異なるビデオ記録機能性を有する。これによってビデオ記録機能性は、所定のビデオ信号の特質に対して最適化されるべきである。例えば、ビデオ記録設備は、デジタル入力信号が使用可能か否かによって最適化され得る。
【００１７】
本発明の異なる特性によれば、第１及び第２の操作モードは、異なるビデオ編集機能を有する。ビデオレコーダは、入力信号に対して適切なビデオ編集機能を自動的に選択し得る。具体的には、ビデオレコーダは、操作モードを自動的に選択し得、デジタルビデオ信号の存在が第２の入力で検出された場合にデジタルビデオ編集を可能にする。
【００１８】
本発明の異なる特性によれば、第２の操作モードは、ビデオ・アーカイビング・モードである。そのため、本発明は、信号が第２の入力に与えられるときに、アーカイビング・モードの自動的な選択を可能にする。これによって、非常に簡単でユーザが扱い易い外部源からのビデオ信号のアーカイビングが可能である。
【００１９】
本発明の異なる特性によれば、装置は、第１の種類の信号の第１の機能性の制限、及び、第２の種類の信号の第２の機能性の制限を引き起こすハードウェアの制限を有し、第１の操作モードの機能性は、第１の機能性の制限に合致し、第２の操作モードの機能性は第２の機能性の制限に合致する。
【００２０】
ビデオレコーダのハードウェアの制限は、異なる種類の信号に異なる影響を有し得、本発明は、操作モードが自動的にかかる影響を反映することを可能とする。これによって、ユーザ・インターフェイスは所定の入力信号に対する可能な機能を自動的に反映し得るため、ユーザによる更に容易な取扱いが可能となる。例えば、使用可能なハードウェアのリソースを考慮すると、ビデオ編集等のいくつかの機能は、第２の種類に対して実行可能であり得るが、第１の種類の入力信号に対しては実行可能ではなく、信号が第２の入力上で検出されるときは、ユーザ・インターフェイス及び操作モードはかかる機能を有するのみであり得る。故に、使用可能なハードウェアのリソースは、第１及び第２の操作モードで異なる機能性に個別に割り当てられ得る。
【００２１】
本発明の異なる特性によれば、ハードウェアの制限は、計算リソースの制限である。故に、本発明によって、異なる種類の信号への使用可能な計算リソースの影響に対応して、機能性が適合及び最適化されることが可能である。更に、所定の種類の信号の特質及び影響に従って、計算リソースが配置されることが可能である。
【００２２】
本発明の他の特性によれば、入力信号の第２の種類は、第１の種類の入力信号には存在しない追加の情報を有し、第２のモードは、かかる追加の情報を使用して機能性を有する。例えば、入力信号の第２の種類は、望ましくは、デジタル信号であり、第１のアナログ型の信号と比較して追加の情報データを有する。追加の情報は、改善された性能又は追加の機能性を与えるよう使用され得る。
【００２３】
本発明の異なる特性によれば、異なる機能は、異なる入力信号選択の機能性を有する。本発明によって、選択は、入力信号が第２のデータ入力上に存在するか否かに従って最適化されることが可能となる。これによって、性能は向上し、複雑性は低減され、柔軟性は増し、及び／又はユーザによる取扱い性が更に増す。
【００２４】
本発明の異なる特性によれば、装置は、入力信号を選択する手段を更に有し、第１の操作モードによって第１の入力に関連付けられた入力信号の選択のみが可能になる。望ましくは、選択の手段は、第１の操作モードにある際に、第２の入力に関連付けられた入力信号をスキップすることができる。これによって、第１の操作モードでの簡単且つユーザによる取扱いの容易な選択の機能性が可能になる。更に、選択手段は、第１のモードでは、第２の入力信号から分離されてよく、従って、異なる入力信号の種類の間の切替えに関連付けられる影響が避けられうるため、性能の向上が可能になる。
【００２５】
本発明の異なる特性によれば、選択手段は、第１の操作モードでは第１の入力と関連付けられた入力信号のみを含む選択カルーセルを有する。これは、複雑性を低減し、実行が容易な効果的且つユーザが取り扱い易い選択を可能とする。
【００２６】
本発明の異なる特性によれば、選択手段は、第２のモードでは第２の入力信号を選択することのみができる。これによって、第２の入力信号は第２の入力に与えられた際に自動的に選択され得るため、ビデオレコーダを非常に容易に操作することを可能とする。これによって、第２の入力信号は、第１の入力に関連付けられた入力信号に対する優先権を得ることができる。
【００２７】
本発明の第２の面によれば、少なくとも第１の種類の第１の入力信号を受信する第１の入力と、少なくとも第１の種類とは異なる第２の種類の第２の入力信号を受信する第２の入力とを有するビデオ記録装置の操作方法が与えられる。該操作方法は、第２の入力上に入力信号が検出されないときに、第１の操作モードで操作する段階と、第２の入力上に入力信号が検出されたときに、第１の操作モードとは異なる機能性を有する第２の操作モードで操作する段階とを有する。
【発明を実施するための最良の形態】
【００２８】
本発明のこれらの及び他の面特性、及び利点は、以下に説明される実施例を参照して明らかに、また説明されるであろう。
【００２９】
本発明は、ほんの一例として図面を参照して説明されるであろう。
【００３０】
以下の説明は、アナログ及びデジタルの入力信号を記録するビデオ記録装置に適用可能である本発明の実施例に焦点をあてるが、本発明はこの用途には制限されないことは十分理解されるであろう。更に、以下の説明は、具体的にはビデオ信号の操作を論じるが、付随する音声信号等の関連する信号を含み得ることが十分理解されるであろう。具体的には、ビデオ信号は、ビデオ及び音声の情報をいずれも有する合成の視聴覚信号であり得る。
【００３１】
図１は、本発明の一実施例に従ったビデオ記録装置１００を例示したものである。
【００３２】
ビデオ記録装置１００は、第１の種類の入力信号に関連付けられた第１の入力１０３、及び、第２の種類の入力信号に関連付けられた第２の入力１０５を有する、選択ユニット１０１を有する。説明された実施例では、第１の入力はアナログ型の入力信号に対するアナログ入力であり、第２の入力はデジタル型の入力信号に対するデジタル入力である。
【００３３】
アナログ入力１０３は、アナログのＴＶ信号を受信し選択ユニット１０１に与えることができる内部アナログ・チューナ１０７に接続される。アナログ・チューナ１０７は、複数の異なるＴＶチャンネルの間で切り替わり得、これは選択ユニット１０１の制御の下であり得る。加えて、第１の入力１０３は、外部アナログ源１０９から信号を受信し得る。装置１００は、選択ユニット１０１に接続された複数のアナログ入力を有し得、例えばＳＣＡＲＴ、Ｓビデオ、及び合成ビデオ入力をいずれも有し得る。選択ユニット１０１は、アナログ入力間と同様に、アナログ・チューナの異なるＴＶチャンネルの間で選択することができる。第１の入力は、あるいは、選択ユニット１０１を備えた複数のサブ入力を有し得、かかるサブ入力間で切り換わることができるよう考慮され得る。
【００３４】
第２の入力１０５は、デジタルビデオ信号を受信することができる。図示された例では、第２の入力１０５は、コネクタ１１１に結合される。コネクタ１１１により、デジタルビデオカメラ等の外部デジタル源１１３は、選択ユニット１０１に接続され得る。
【００３５】
選択ユニット１０１は、選択ユニット１０１によって選択された入力信号を与えられるビデオ・プロセッサ１１５に接続され得る。ビデオ・プロセッサ１１５は、ビデオ格納１１７に双方向に結合され、ビデオ格納１１７からのビデオ信号を格納及び取出すことができる。ビデオ格納１１７は、例えばハードディスク又はＤＶＤであってよい。記録の際は、ビデオレコーダは、選択された入力信号をビデオ格納１１７に格納する。記録されたビデオ信号を再生する際は、ビデオ・プロセッサ１１５はビデオ格納１１７からビデオ信号を取り出し、それを結合された表示プロセッサ１１９に与える。ビデオ・プロセッサ１１５は、更に、ビデオ信号の多種の信号処理及びマニピュレーションを行なうことができる。かかる処理は、望ましい実施例では、ビデオ格納１１７に格納された入力信号と、ビデオ格納１１７から取り出されたビデオ信号の両方又はいずれか一方の処理を含み得る。具体的には、ビデオ・プロセッサ１１５は、ビデオ格納１１７からビデオ信号を取り出し得、取り出したビデオ信号で処理及びマニピュレーション操作を行い、続いて、ビデオ格納１１７にもたらされたビデオ信号を格納する。
【００３６】
表示プロセッサ１１９は、ビデオ・プロセッサ１１５から受信したビデオ信号を表示信号を生成するよう処理することができる。かかる処理は、例えば、デジタルで格納された信号をアナログの表示信号に転換する段階を有する。表示プロセッサ１１９は、更に、ユーザ・インターフェイス・コントローラ１２１に結合される。ユーザ・インターフェイス・コントローラ１２１は、望ましい実施例では、オンスクリーン・ディスプレイを生成することができ、ユーザに、ビデオ信号、ビデオ格納１１７、及びビデオ記録装置１０１の操作に関連するオプション及び情報を示す。表示プロセッサ１１９は、望ましい実施例では、ビデオ信号とユーザ・インターフェイス情報とを組み合わせることができ、例えばユーザ・インターフェイス情報は、ビデオ信号画像にオーバーレイされ得るようにする。
【００３７】
表示プロセッサ１１９は、望ましい実施例では外部ディスプレイ装置１２５に結合される表示インターフェイス１２３に結合される。外部ディスプレイ装置１２５は、例えば、適切なビデオ・モニタ又はＴＶであり得、ディスプレイ・インターフェイス１２３は、特定のディスプレイ装置１２５に連結するよう必要な機能を実施する。
【００３８】
ビデオ記録装置１００は、選択ユニット１０１の第２の入力１０５に結合された入力信号検出器１２７を更に有する。入力信号検出器１２７は、デジタル入力信号が第２の入力１０５に存在するか否かを検出することができる。望ましい実施例では、入力信号検出器１２７は単に電圧検出器を有し、電圧検出器は、入力コネクタ１１１上の適切なピンが所定の閾値を超える電圧を有しているか否かを決定する。電圧が閾値を超えている場合、これは、信号が第２の入力１０５上に存在するということを示す。電圧が閾値を下回る場合、これは、信号が第２の入力１０５上に存在しないことを示す。入力信号が第２の入力上に存在するか否かを検出する他の手段は、本発明から逸脱することなく使用され得、その手段は、プラグが入力コネクタ１１１に挿入されているか否かに関する簡単な機械的な検出等である。
【００３９】
入力信号検出器１２７は、第１のコントローラ１２９及び第２のコントローラ１３１に結合される。第１のコントローラ１２９は、第１の操作モードでビデオ記録装置１００の操作を制御することができ、第２のコントローラ１３１は、第２の操作モードでビデオ記録装置１００の操作を制御することができる。第１及び第２のコントローラ１２９，１３１はいずれも、選択ユニット１０１、ビデオ・プロセッサ１１５、表示プロセッサ１１９、及びユーザ・インターフェイス・コントローラ１２１に結合され、これらの操作を制御することが出来る。従って、ビデオ記録装置１００の操作は、コントローラ１２９，１３１のうちどちらがビデオ記録装置１００を制御するかに依存して異なる。第１及び第２のコントローラ１２９，１３１は、ユーザ入力１３３に更に結合され、ユーザ入力１３３より、遠隔制御の起動に応じる等してユーザから入力を受信し得る。第１及び第２のコントローラ１２９，１３１は、かかるユーザ入力に応答してビデオ記録装置１００の操作を修正することができ、具体的には、オンスクリーン・ディスプレイに関連付けられたユーザ入力をデコードする。
【００４０】
第１及び第２のコントローラ１２９，１３１は、明確且つ簡潔にするために別個の機能モジュールとして説明されるが、これらは統合され得、例えば同一のプロセッサ内で異なるプログラムとして実行され得るか、又は、入力信号が第２の入力上に検出されるか否かに依存して異なる関連するサブルーチン、パラメータ、変量、及び／又は特性を有する単一のプログラムとして実行され得る。
【００４１】
第１及び第２のコントローラ１２９，１３１は、入力信号検出器１２７に結合される。入力信号検出器１２７が、第２の入力１０５上に信号は存在しないと判断する場合、第１のコントローラ１２９を起動し第２のコントローラ１３１を停止する制御信号を生成する。入力信号検出器１２７が第２の入力１０５上に信号が存在すると判断する場合、第２のコントローラ１３１を起動し第１のコントローラ１２９を停止する制御信号を生成する。このように、ビデオ記録装置１００の操作は、第２の入力１０５上に信号が存在しない場合は第１のコントローラ１２９によって、入力信号が存在する場合は第２のコントローラ１３１によって、制御される。これによって、ビデオ記録装置１００の操作は、入力信号が存在する場合及び入力信号が存在しない場合に関して、独立して最適化され得る。このため、ビデオ記録装置１００の操作は、受信された入力信号に適合するようビデオ記録装置１００の操作を自動的に修正する。
【００４２】
第１及び第２の操作モードに対する適切な操作構造及び機能性が使用され得ることは、十分に理解されるであろう。具体的には、第１及び第２の操作モードは、異なるビデオ記録の機能性を有し得る。例えば、第２のモードでは、信号はデジタルビデオ信号であり、異なるデータ転送速度がユーザによって選択される可能性があるため、ユーザはビデオの質に関する格納要求をトレードオフすることができる。かかる特性は、第１の操作モードでは利用可能ではない。
【００４３】
実施例の中には、ビデオ記録装置１００は、第１及び第２の操作モードで異なる編集機能性を有するものがある。例えば、ビデオ編集は、典型的には、アナログ信号よりもデジタル入力信号に対して実施するほうがより簡単で少ないリソースを要求するものである。このように、第１の操作モードでは、簡単な編集機能のみが実行可能であるか又は１つの編集機能も実行可能ではないのいずれかであり、従って、ビデオ記録装置１００は、ユーザに対してたった数個のみ又は全くの機能性も与えない。その代わりに、かかるリソースは、他の目的で配置され得る。第２の操作モードでは、ビデオ編集は実行可能であり、従ってビデオ編集機能の適切な範囲はユーザに提示される。
【００４４】
更に、デジタルビデオ信号は、アナログビデオ信号と比較して追加の情報を有する。例えば、ビデオ信号は、源による記録の日時を示す時間情報を有する。この情報は、望ましくは、アナログ信号に対しては与えられ得ない追加の機能を与えるよう使用される。例えば、ビデオレコーダは、格納されたビデオクリップを時系列で自動的に配置及び表示し得る。
【００４５】
ビデオ記録装置１００は、使用されたハードウェアによって課された多数の制限を有する。例えば、計算リソースは、典型的には、内蔵式の処理リソース及びメモリ・リソースによって制限される。機能性へのかかる制限の影響は、選択された入力信号の種類に依存して異なる。従って、望ましい実施例では、各実施例に与えられた機能性は、所定のハードウェア制限に対して信号の種類の特質に合うよう独立して最適化される。
【００４６】
望ましい実施例では、第２の操作モードは、ビデオ・アーカイビング・モードである。近年のデジタルビデオレコーダの殆どでは、デジタル入力は、デジタルＤＶカメラ等の外部源からビデオをアーカイビングするよう典型的に使用される。故に、ユーザは典型的には、特定のアーカイビング・アプリケーションに関しては第２の入力を使用し、従って第２のコントローラ１３１は、具体的には、かかる操作に要求された機能性を正確に与えることが出来る。このように、ビデオ記録装置１００が、ＤＶカメラ等の外部源が第２の入力１０５に信号を与えると検出する際、アーカイビングに要求される機能性を与えるよう自動的に切替える。これによって、非常に簡単でユーザが取り扱い易い操作が与えられる。
【００４７】
実施例の中では、異なる機能性は、異なる入力選択の機能性を有するものがある。望ましくは、選択機能性は、第１の操作モードでは、第１の入力１０３に関連付けられる入力信号のみが選択され得、第２のモードでは第２の信号に関連付けられる入力信号のみが選択され得る。これは、ユーザが取り扱い易い操作を与えるのみではなく、第１及び第２の入力１０３，１０５を機能的に分けるため、１つの種類の入力から他の種類への切替えに関連付けられる遅延及びパフォーマンスの低下を低減させる。
【００４８】
従来のデジタルビデオレコーダは、典型的には、選択カルーセル又は選択リングを実行する。例えば、ビデオレコーダは、ユーザの起動に応答して、ＴＶチャンネル１、ＴＶチャンネル２、ＴＶチャンネル３、アナログａｕｘ１、アナログａｕｘ２、デジタルａｕｘ１、デジタルａｕｘ２を介して、ＴＶチャンネル１に戻って、そしてサイクルを反復し得る。しかしながら、可能な入力信号の増加する数は、サイクル・タイムを増加させ、これは、選択操作が最も頻繁な操作のうちの１つであるため不便である。更に、多数の不利点は、デジタル入力からアナログ入力への切替え、又はその逆の切替えにしばしば関連付けられる。例えば、デジタル信号への切替えは、入力回路構成が可能な受信データ・ストリームに同期しようとするため、典型的には遅延の増加を招く。また、デジタル入力からアナログ入力への切り替えは、しばしば、フリーズや点滅等の画面のアーチファクトをもたらす。
【００４９】
本発明の一実施例によれば、選択リングは、第１の操作モードのときは、第２の入力に関連付けられたエントリを自動的にスキップする。このように、特定の例では、ＴＶチャンネル１、ＴＶチャンネル２、ＴＶチャンネル３、アナログａｕｘ１、アナログａｕｘ２、その後に続くＴＶチャンネル１の選択リングは、第１のモードでは第１のコントローラ１２９によって実行される。第２のモードでは、選択リングは、デジタルａｕｘ１及びデジタルａｕｘ２のデジタル入力を有するのみである。故に、本実施例は、２つの低減された選択リングの間で自動的に変化し、デジタル入力とアナログ入力との間の切替えに関連付けられた不利点を避ける。実施例の中には、第２の選択リングは第２の入力１０５を単に有し得る。
【００５０】
このように、ビデオ記録装置１００は、操作の方法を有しており、第２の入力上に入力信号が検出されなかったときは第１の操作モードで操作し、第２の入力上に入力信号が検出されたときは、異なる機能性を備えた第２の操作モードで操作する。
【００５１】
本発明は、ハードウェア、ソフトウェア、ファームウェア、又はこれらのうちのいずれかの組合せを含んだ適切な形式で実行される。しかしながら、望ましくは、本発明は、１つ又はそれ以上のデータプロセッサ及び／又はデジタル信号プロセッサ上で動くソフトウェアとして実行される。本発明の一実施例の要素及び構成要素は、物理的、機能的及び理論的に、いずれの好適な方法でも実行され得る。実際には、機能性は、単一のユニット、複数のユニット又は他の機能的なユニットの一部分で実行され得る。本発明は、単一のユニット内で実行され得るか又は物理的及び機能的に異なるユニットとプロセッサとの間に与えられ得る。
【００５２】
本発明は、望ましい実施例に関連して説明されてきたが、ここで説明された特定の形式に制限されるよう意図されていない。むしろ、本発明の範囲は、添付の請求項によってのみ制限される。請求項で、有するという表現は、他の要素又は段階の存在を除外するものではない。更に、個別に列挙されているが、複数の手段、要素、又は方法段階は、単一のユニット又はプロセッサによって実行され得る。更には、個別の特性が異なる請求項に含まれ得るが、これらは、有利に組み合わされることが可能であり、異なる請求項での含有は、特性の組合せが実行可能及び／又は有利ではないという意味を含まない。加えて、単数の表現は、複数を除外するものではない。このように、「ａ」「ａｎ」「第１の」「第２の」等の表現は、複数を除外するものではない。
【００５３】
要約すれば、本発明はビデオ記録装置（１００）に係り、該装置は、第１の入力信号を受信する第１の入力（１０３）と、異なる種類の第２の入力信号を受信する第２の入力（１０５）との間で選択をする選択ユニット（１０１）を有する。第１の入力信号は典型的にはアナログ信号であり、第２の入力信号はデジタルＤＶ信号である。ビデオ記録装置（１００）は、第１の操作モードでビデオ記録装置（１００）を操作する第１のコントローラ（１２９）と、異なる機能性を有する第２の操作モードで操作をする第２のコントローラ（１３１）を更に有する。入力信号検出器（１２７）は、信号が第２の入力上に存在するか否かを検出し、存在する場合は第２のコントローラ（１３１）を起動させる。存在しない場合は、第１のコントローラ（１２）が起動される。故に、ビデオ記録装置（１００）は、入力信号が第２の入力（１０５）上に検出されるか否かに依存して、異なる操作モードで操作される。
【図面の簡単な説明】
【００５４】
【図１】本発明の一実施例に従ったビデオ記録装置を例示する。
【図１】
0004644183.tif 000002